(57)【要約】【課題】  容易かつ正確に情報を管理することができる情報管理システム、画像処理装置、制御方法、及び、制御プログラムを提供する。【解決手段】書類Ｄに文字列１６及び文字列１６を囲む識別枠１７を捺印するための捺印具２と、書類Ｄの画像情報を処理する画像処理装置３と、を備え、画像処理装置３は、書類Ｄを撮像可能な撮像部８と、撮像部８により撮像された書類Ｄの画像情報を記憶する記憶部６と、制御部７と、を備え、制御部７は、撮像部８により撮像された書類Ｄの画像情報において識別枠１７を認識し、識別枠１７により囲まれた文字列１６を読み取り、読み取った文字列に応じて書類Ｄの画像情報に分類情報を付加して記憶部６に記憶する。【選択図】図６
2014010674.tif 000002
【特許請求の範囲】
【請求項１】
書類に文字列及び当該文字列を囲む識別枠を捺印するための捺印具と、
前記書類の画像情報を処理する画像処理装置と、を備え、
前記画像処理装置は、
前記書類を撮像可能な撮像部と、
前記撮像部により撮像された前記書類の画像情報を記憶する記憶部と、
制御部と、を備え、
前記制御部は、
前記撮像部により撮像された前記書類の画像情報において前記識別枠を認識し、
前記識別枠により囲まれた文字列を読み取り、
読み取った前記文字列に応じて前記書類の画像情報に分類情報を付加して前記記憶部に記憶する、情報管理システム。
【請求項２】
前記画像処理装置は、前記撮像部により撮像された前記書類の画像情報を表示可能な表示部を備え、
前記制御部は、前記書類の画像情報を前記表示部に表示する、請求項１に記載の情報管理システム。
【請求項３】
文字列及び当該文字列を囲む識別枠が捺印具により捺印された書類の画像情報を処理する画像処理装置であって、
前記書類を撮像可能な撮像部と、前記撮像部により撮像された前記書類の画像情報を記憶する記憶部と、制御部と、を備え、
前記制御部は、
前記撮像部により撮像された前記書類の画像情報において前記識別枠を認識し、
前記識別枠により囲まれた文字列を読み取り、
読み取った前記文字列に応じて前記書類の画像情報に分類情報を付加して前記記憶部に記憶する、画像処理装置。
【請求項４】
書類に文字列及び当該文字列を囲む識別枠を捺印するための捺印具と、前記書類の画像情報を処理する画像処理装置と、を備える情報管理システムを制御する制御方法であって、
前記画像処理装置は、
前記書類を撮像可能な撮像部と、
前記撮像部により撮像された前記書類の画像情報を記憶する記憶部と、
制御部と、を備え、
前記制御部が、
前記撮像部により撮像された前記書類の画像情報において前記識別枠を認識するステップと、
前記識別枠により囲まれた文字列を読み取るステップと、
読み取った前記文字列に応じて前記書類の画像情報に分類情報を付加して前記記憶部に記憶するステップと、を実行する制御方法。
【請求項５】
書類に文字列及び当該文字列を囲む識別枠を捺印するための捺印具と、前記書類の画像情報を処理する画像処理装置と、を備える情報管理システムを制御する制御プログラムであって、
前記画像処理装置は、
前記書類を撮像可能な撮像部と、
前記撮像部により撮像された前記書類の画像情報を記憶する記憶部と、
制御部と、を備え、
前記制御部に、
前記撮像部により撮像された前記書類の画像情報において前記識別枠を認識するステップと、
前記識別枠により囲まれた文字列を読み取るステップと、
読み取った前記文字列に応じて前記書類の画像情報に分類情報を付加して前記記憶部に記憶するステップと、を実行させる制御プログラム。
【発明の詳細な説明】
【技術分野】
【０００１】
本発明は、書類の画像情報を管理する情報管理システムに関する。また、この情報管理システムのための画像処理装置、制御方法、及び、制御プログラムに関する。
【背景技術】
【０００２】
一般的に、複数の書類を種類ごとに分類して管理するときは、種類ごとに分類した書類をそれぞれ公知のクリアファイル（例えば特許文献１参照）に収納したり、公知の付箋を付したりして管理をすることがある。例えば、複数の書類として見積書類、報告書類、重要書類、及び、保存書類がある場合に、これらの書類をそれぞれの種類ごとに分類し、例えば見積書類を見積書類用のクリアファイルに収納し、報告書類を報告書類用のクリアファイルに収納するなどして、複数の書類を管理することがある。
【先行技術文献】
【特許文献】
【０００３】
【特許文献１】特開２０１２‐０５１２７１号公報
【発明の概要】
【発明が解決しようとする課題】
【０００４】
しかしながら、上記のような書類管理では、ユーザーが複数の書類を手作業で分類しなければならないので、煩わしさがあり、また、分類を間違えることもあった。また、分類した書類を閲覧するときも、その都度クリアファイルから書類を取り出さなければならないので煩わしさがあった。また、例えばユーザーが机で作業しているときに、書類が机の上に散乱してしまい、作業効率が悪くなることがあった。
【０００５】
本発明は、上記課題を解決するためになされたものであって、容易かつ正確に情報を管理することができる情報管理システム、画像処理装置、制御方法、及び、制御プログラムの提供を目的とする。
【課題を解決するための手段】
【０００６】
本発明は、上記課題を解決するための情報管理システムであって、書類に文字列及び当該文字列を囲む識別枠を捺印するための捺印具と、前記書類の画像情報を処理する画像処理装置と、を備え、前記画像処理装置は、前記書類を撮像可能な撮像部と、前記撮像部により撮像された前記書類の画像情報を記憶する記憶部と、制御部と、を備え、前記制御部は、前記撮像部により撮像された前記書類の画像情報において前記識別枠を認識し、前記識別枠により囲まれた文字列を読み取り、読み取った前記文字列に応じて前記書類の画像情報に分類情報を付加して前記記憶部に記憶する、情報管理システムである。
【０００７】
このような構成によれば、捺印具により文字列が捺印された書類を撮像部により撮像することにより、文字列に応じて書類の画像情報を分類することができるので、情報を容易に管理することができる。また、識別枠を認識し、当該識別枠により囲まれた文字列を読み取り、読み取った文字列に応じて書類の画像情報を分類するので、画像情報を正確に分類することができる。よって、本発明によれば、容易かつ正確に情報を管理することができる。
【０００８】
また、上記情報管理システムにおいて、前記画像処理装置は、前記撮像部により撮像された前記書類の画像情報を表示可能な表示部を備え、前記制御部は、前記書類の画像情報を前記表示部に表示することが好ましい。
【０００９】
あるいは、本発明は、上記課題を解決するためになされたものであり、文字列及び当該文字列を囲む識別枠が捺印具により捺印された書類の画像情報を処理する画像処理装置であって、前記書類を撮像可能な撮像部と、前記撮像部により撮像された前記書類の画像情報を記憶する記憶部と、制御部と、を備え、前記制御部は、前記撮像部により撮像された前記書類の画像情報において前記識別枠を認識し、前記識別枠により囲まれた文字列を読み取り、読み取った前記文字列に応じて前記書類の画像情報に分類情報を付加して前記記憶部に記憶する、画像処理装置であってもよい。
【００１０】
あるいは、本発明は、上記課題を解決するためになされたものであり、書類に文字列及び当該文字列を囲む識別枠を捺印するための捺印具と、前記書類の画像情報を処理する画像処理装置と、を備える情報管理システムを制御する制御方法であって、前記画像処理装置は、前記書類を撮像可能な撮像部と、前記撮像部により撮像された前記書類の画像情報を記憶する記憶部と、制御部と、を備え、前記制御部が、前記撮像部により撮像された前記書類の画像情報において前記識別枠を認識するステップと、前記識別枠により囲まれた文字列を読み取るステップと、読み取った前記文字列に応じて前記書類の画像情報に分類情報を付加して前記記憶部に記憶するステップと、を実行する制御方法であってもよい。
【００１１】
あるいは、本発明は、上記課題を解決するためになされたものであり、書類に文字列及び当該文字列を囲む識別枠を捺印するための捺印具と、前記書類の画像情報を処理する画像処理装置と、を備える情報管理システムを制御する制御プログラムであって、前記画像処理装置は、前記書類を撮像可能な撮像部と、前記撮像部により撮像された前記書類の画像情報を記憶する記憶部と、制御部と、を備え、前記制御部に、前記撮像部により撮像された前記書類の画像情報において前記識別枠を認識するステップと、前記識別枠により囲まれた文字列を読み取るステップと、読み取った前記文字列に応じて前記書類の画像情報に分類情報を付加して前記記憶部に記憶するステップと、を実行させる制御プログラムであってもよい。
【発明の効果】
【００１２】
本発明の情報管理システム、画像処理装置、制御方法、及び、制御プログラムによれば、容易かつ正確に情報を管理することができる。
【図面の簡単な説明】
【００１３】
【図１】本発明の一実施形態に係る情報管理システムの概略構成図であり、（ａ）は捺印具の斜視図であり、（ｂ）は画像処理装置の斜視図である。
【図２】捺印具により捺印された書類の平面図である。
【図３】回転体の断面図である。
【図４】捺印部の正面図である。
【図５】画像処理装置のブロック図である。
【図６】情報管理システムの制御方法のフローチャートである。
【図７】識別枠の認識方法のフローチャートである。
【図８】他の実施形態に係る画像処理装置の（ａ）正面図及び（ｂ）裏面図である。
【図９】他の実施形態に係る画像処理装置のブロック図である。
【発明を実施するための形態】
【００１４】
以下、本発明の実施形態について添付図面を参照して説明する。図１は、本発明の一実施形態に係る情報管理システムの概略構成図であり、（ａ）は捺印具の斜視図であり、（ｂ）は画像処理装置の斜視図である（図１の（ａ）と（ｂ）は異なる縮尺で示している。）。また、図２は、捺印具により捺印された書類の平面図である。
【００１５】
図１及び図２に示すように、情報管理システム１は、書類Ｄに捺印するための捺印具２と、書類Ｄの画像情報を処理する画像処理装置３とを備えている。書類Ｄとしては、特に限定されないが、世間一般に用いられている様々な種類の書類を例示することができ、例えば、見積書類、報告書類、重要書類、保存書類等を挙げることができる。また、その他にも、ユーザーの選択により任意の複数の書類を用いることができる。
【００１６】
次に、捺印具２について説明する。捺印具２は、本体１０と、本体１０に対して回転可能に取り付けられた回転体１１と、回転体１１を回転させるための回転つまみ１３と、を備えており、ユーザーが本体１０を把持して書類Ｄに対して捺印をするものである。本体１０の先端部には開口部１４が形成されており、この開口部１４に回転体１１が配置されている。図３は、回転体の断面図である。この回転体１１は、ほぼ四角柱状に形成されており、回転つまみ１３に接続された回転軸１２を回転中心として回転する。回転体１１の各側面にはそれぞれ、書類Ｄに捺印するための捺印部１５，１５・・・が形成されており、回転体１１が回転することにより、各捺印部１５が開口部１４を介してそれぞれ外部に露出する。図４は、捺印部の正面図である。捺印部１５は、文字列捺印部１５１と、文字列捺印部１５１を囲む四角い枠形の枠捺印部１５２とを備えており、文字列捺印部１５１により文字列１６を捺印することができ、枠捺印部１５２により文字列１６を囲む枠形の識別枠１７を捺印することができる。捺印のためのインクは予め捺印部１５に染み込ませておいてもよく、或いは、捺印する度に捺印部１５に付着させてもよい。また、インクの色は予め設定された識別色（本実施形態では、朱色）を用い、後述する画像処理装置３により認識し易い色を用いることが好ましい。
【００１７】
各捺印部１５の文字列捺印部１５１は、それぞれ異なる文字列の印面を有しており、それぞれ固有の文字列１６を書類Ｄに捺印することができる。本実施形態では、各文字列捺印部１５１により「見積書類」、「報告書類」、「重要書類」、「保存書類」の文字列１６をそれぞれ捺印することができる。ここで、文字列は、複数の文字の配列だけでなく、１つの文字のみも含む概念である。また、枠捺印部１５２は、本実施形態では２重線の枠としているが、これに限定されるものではなく、１本線（単線）の枠や３重線の枠にしてもよい。この枠捺印部１５２により書類Ｄに識別枠１７を捺印することができる。
【００１８】
回転つまみ１３は本体１０の側面に配置されており、ユーザーが回転つまみ１３を指でつまんで回転させることにより回転体１１を矢印のように回転させることができ、この回転により、複数の捺印部１５をそれぞれ切り換えて、捺印したい文字列１６に対応する文字列捺印部１５１を選択することができる。
【００１９】
次に、画像処理装置３について説明する。図５は、画像処理装置のブロック図である。図５に示すように、画像処理装置３は、パソコン３０と、パソコン３０に接続されたスキャナ３１とを備えており、パソコン３０は、表示部４、入力部５、記憶部６及び制御部７を備えており、スキャナ３１は、撮像部８を備えている。
【００２０】
表示部４としては、液晶ディスプレイや有機ＥＬディスプレイ等の公知の表示デバイスを用いることができ、その表示画面上に画像情報等を表示することができる。また、入力部５としては、ユーザーの操作により情報を入力できる公知のキーボードやマウスを用いることができる。
【００２１】
記憶部６は、情報処理のためのプログラム及びデータを記憶する公知のハードディスク又は半導体メモリなどの記憶媒体により構成されている。この記憶部６は、撮像部８により撮像された書類Ｄの画像情報を記憶することができる。画像情報は、例えば、ｊｐｅｇ及びｇｉｆなどのファイル形式により記憶される。また、記憶部６には、情報管理システム１を制御するための制御プログラムが記憶されている。また、記憶部６には、予め設定された識別色（本実施形態では、朱色）の情報が記憶されている。また、記憶部６には、読み取りを許可する文字列のホワイトリストが記録されている。本実施形態では、ホワイトリストとして「見積書類」、「報告書類」、「重要書類」、「保存書類」の文字列が予め登録されている。また、記憶部６はその他にも各種の情報を適宜記憶することができる。
【００２２】
制御部７は、プログラム及びデータに基づいて情報処理をする公知のＣＰＵなどのプロセッサにより構成されている。この制御部７は、記憶部６に記憶された情報管理システムの制御プログラムを実行することにより、上記の各構成要素を制御することができる。情報管理システムの制御の詳細については、以下に説明する。
【００２３】
撮像部８としては、レンズを通して入射する被写体像を撮像する公知の構成であり、例えば、アナログ電気信号を出力するＣＣＤ（Charge Coupled Device）やＣＭＯＳ（Complementary Metal Oxide Semiconductor）等の撮像素子を含み、レンズを通して入射する被写体像を光電変換し、撮像素子からのアナログ電気信号をデジタル電気信号に変換して画像データを出力するものを用いることができる。
【００２４】
次に、上記のような構成を備える情報管理システムを制御する制御方法について説明する。この制御方法は制御プログラムにより実行される。図６は、情報管理システムの制御方法のフローチャートである。
【００２５】
本実施形態に係る情報管理システムでは、まず、ユーザーが捺印具２により書類Ｄに捺印をする（ステップＳ１）。より詳細には、捺印具２の回転体１１における複数の文字列捺印部１５１の中から、ユーザーが捺印したい文字列捺印部１５１を選択して書類Ｄに捺印をする。例えば、見積りに関する書類Ｄに「見積書類」の文字列を捺印したり、重要事項が記載された書類Ｄに「重要書類」の文字列を捺印したりする。このときの書類Ｄ及び文字列については、ユーザーが任意に選択することができる。ユーザーが捺印をすると、文字列捺印部１５１により文字列１６が捺印され、枠捺印部１５２により識別枠１７が捺印され、図２に示すように、書類Ｄに文字列１６及び当該文字列１６を囲む識別枠１７が表示される。本実施形態では枠捺印部１５２を２重線の枠としているので、識別枠１７が２重の枠で表示される。
【００２６】
次に、ユーザーが撮像部８により、文字列１６及び識別枠１７が捺印された書類Ｄを撮像する（ステップＳ２）。より詳細には、スキャナ３１に書類Ｄをセットしてスキャンすることにより、スキャナ３１に内蔵された撮像部８によって書類Ｄの画像を読み取る。
【００２７】
ユーザーが撮像部８により書類Ｄの撮像をすると、制御部７は、撮像した書類Ｄの画像情報を記憶部６に記憶する（ステップＳ３）。また、制御部７は、必要に応じて書類Ｄの画像情報を補正する。画像情報の補正方法としては、特に限定されるものではないが、例えば、画像の対角線上の２点の座標を基準にして歪みを補正する公知の補正方法を用いることができる。また、制御部７は、この書類Ｄの画像情報において、識別枠１７を認識する（ステップＳ４）。識別枠１７を認識する方法は特に限定されるものではないが、例えば次のような方法が挙げられる。図７は、識別枠の認識方法のフローチャートである。図７に示すように、識別枠１７を認識するときは、まず制御部７が、書類Ｄの画像情報から予め設定された識別色（本実施形態では、朱色）の画素を抽出する（ステップＳ５１）。識別色の画素を抽出する方法としては、ＲＧＢ値の対比により目的の色を抽出する公知の方法を用いることができる。次に制御部７は、抽出した部分が２重の線になっている場合は、この２重線を膨張及び収縮処理して、１本の線（単線）に変換する（ステップＳ５２）。２重線の検出は、例えば閾値を用いて境界を検出する公知の処理方法により行うことができる。次に、制御部７は、識別色に基づいて抽出した部分からエッジを検出する（ステップＳ５３）。エッジの検出には、画素値の差分から勾配を求める公知のエッジ検出方法を用いることができる。続いて、制御部７は、エッジ検出された線の交点を求め、この交点に基づいて、エッジ検出された線によって形成されている矩形を抽出する（ステップＳ５４）。次に制御部７は、抽出した矩形をチェックする（ステップＳ５５）。より詳細には、抽出された矩形が四角形であるかをチェックし、四角形以外の形状（三角形等）を省く。また、抽出された矩形の大きさをチェックし、所定の範囲外の大きさの矩形を省く。これにより、小さすぎる矩形や大きすぎる矩形を省くことができる。また、制御部７は、矩形の縦横の比率をチェックし、所定の範囲外の比率になっている矩形を省く。その後、抽出した矩形の線が２重線で表示されたものであるか否かを判定し（ステップＳ５６）、２重線であると判定した場合には、その矩形を識別枠１７として認識する（ステップＳ５７）。なお、本実施形態では枠捺印部１５２を２重線の枠として、識別枠１７を２重線で表示したので、識別枠１７を認識するときの判定基準を２重線としたが、例えば識別枠１７を３重線で表示した場合には、３重線であるか否かを判定基準にすることができる。
【００２８】
以上のようにして識別枠１７を認識した後、制御部７は、書類Ｄの画像情報において、識別枠１７に囲まれた文字列１６を読み取る（ステップＳ５）。より詳細には、文字を光学的に識別して電気信号に変換する公知の光学文字認識（ＯＣＲ：Optical Character Recognition）により文字列１６を認識し、認識した文字列が予め設定されたホワイトリストに登録されている場合は、この文字列を読み取る。本実施形態では、ホワイトリストに登録された「見積書類」、「報告書類」、「重要書類」、「保存書類」の文字列を読み取ることができる。
【００２９】
続いて制御部７は、読み取った文字列１６に応じて、書類Ｄの画像情報に分類情報を付加して記憶部６に記憶する（ステップＳ６、Ｓ７）。より詳細には、制御部７は、読み取った文字列１６に対応する分類情報をメタデータとして画像情報に付加する。分類情報としては特に限定されるものではないが、本実施形態では、文字列「見積書類」、「報告書類」、「重要書類」、「保存書類」に応じて、これと同じ分類情報「見積書類」、「報告書類」、「重要書類」、「保存書類」を用いている。これにより、例えば、「見積書類」の文字列１６が捺印された書類Ｄの画像情報に、「見積書類」という分類情報がメタデータとして付加され、画像情報と分類情報とが関連付く。また、その他の分類情報「報告書類」、「重要書類」、「保存書類」についても同様に、書類Ｄの画像情報に関連付く。また、制御部７は、分類情報が付加された書類Ｄの画像情報を記憶部６に格納する。これにより、文字列１６が捺印された書類Ｄの画像情報が、文字列に対応する分類情報によって分類された状態で記憶部６に記憶される。また、書類Ｄの画像情報を記憶部６に記憶するときは、制御部７は、分類情報に対応するフォルダを生成し、そのフォルダに書類Ｄの画像情報を格納することができる。例えば、「見積書類」の場合は、認識した文字列１６（見積書類）に基づいて、「見積書類」のフォルダを生成し、そのフォルダに「見積書類」の画像情報を格納することができる。
【００３０】
以上のような構成を備える情報管理システムによれば、捺印具２により文字列１６が捺印された書類Ｄを撮像部８により撮像することにより、文字列１６に応じて書類Ｄの画像情報を分類することができるので、情報を容易に管理することができる。また、識別枠１７を認識し、当該識別枠１７により囲まれた文字列１６を読み取り、読み取った文字列に応じて書類Ｄの画像情報を分類するので、画像情報を正確に分類することができる。よって、本発明によれば、容易かつ正確に情報を管理することができる。
【００３１】
以上、本発明の一実施形態について説明したが、本発明の具体的な態様は上記実施形態に限定されるものではない。例えば、上記実施形態では、捺印具２は、回転体１１を備えることにより複数の文字列１６を捺印できる構成であったが、この構成に限定されるものではなく、１種類の文字列１６のみを捺印する捺印具２を複数用いる構成であってもよい。この場合は、文字列捺印部１５１が互いに異なる複数の捺印具２を準備しておき、ユーザーが捺印したい文字列の捺印具２を選択することにより、書類Ｄに選択した文字列１６を捺印することができる。
【００３２】
また、上記実施形態では、画像処理装置３は、パソコン３０及びスキャナ３１を備える構成であったが、この構成に限定されるものではなく、公知のスマートフォン、携帯電話機、ＰＤＡなどであってもよい。図８は、他の実施形態に係る画像処理装置の（ａ）正面図及び（ｂ）裏面図であり、図９は、この画像処理装置のブロック図である。図８及び図９において、上記の実施形態と同様の構成部分については、同一の符号を付してその説明を省略する。図８及び図９に示すように、他の実施形態に係る画像処理装置は、スマートフォンとして構成されており、表示部４、記憶部６、制御部７、撮像部８およびタッチパネル９を備えている。タッチパネル９は、ユーザーが表面をタッチしたときにそのタッチ位置を認識可能な公知のタッチパネルであり、表示部４の上に重ねて配置されている。このタッチパネル９としては、抵抗膜方式、表面弾性波方式、電磁誘導方式、静電容量方式等、公知の方式のものを用いることができる。また、このタッチパネル９をユーザーがタッチすることにより、各種の入力をすることができる。例えば、タッチパネル９のタッチにより、撮像部８による撮像、表示部４における表示の指示を入力することができる。このような構成によっても、上記実施形態に係る画像処理装置３と同様に、書類Ｄの画像情報を処理することができる。
【００３３】
また、分類情報によって分類した書類Ｄの画像情報を表示部４に表示することもできる。この場合は、ユーザーが入力部５（例えばキーボード）に分類情報（例えば「見積情報」）を入力する。そうすると、制御部７は、入力された分類情報（例えば「見積情報」）に基づいて記憶部６を検索し、当該分類情報（例えば「見積情報」）が付加された書類Ｄの画像情報を抽出する。そして、抽出した画像情報を表示部４に表示する。これにより、分類情報に対応した書類Ｄの画像情報が表示部４に表示される。また、この画像情報を図示しないプリンターなどに出力することもできる。
【符号の説明】
【００３４】
１    情報管理システム
２    捺印具
３    画像処理装置
４    表示部
５    入力部
６    記憶部
７    制御部
８    撮像部
９    タッチパネル
１０    本体
１１    回転体
１２    回転軸
１３    回転つまみ
１４    開口部
１５    捺印部
１６    文字列
１７    識別枠
３０    パソコン
３１    スキャナ
１５１  文字列捺印部
１５２  枠捺印部
【図１】
2014010674.tif 000003
【図２】
2014010674.tif 000004
【図３】
2014010674.tif 000005
【図４】
2014010674.tif 000006
【図５】
2014010674.tif 000007
【図６】
2014010674.tif 000008
【図７】
2014010674.tif 000009
【図８】
2014010674.tif 000010
【図９】
2014010674.tif 000011